(57)【要約】本発明は、注射針とこれを保護するシリンジキャップを有する放射線医薬注射器を保持する放射線遮蔽容器を少なくとも態様の一つとする。前記放射線遮蔽容器は、シリンジキャップを選択的に保持するキャップ保持部を有することを特徴とする。シリンジキャップは、キャップ保持部に保持され、前記シリンジキャップに前記注射針を挿入できる位置に前記シリンジキャップの開口端部を配置する。放射性医薬注射器は、患者に放射性医薬が投与されることで、使用済み放射性注射器となる。使用済み放射性医薬注射器の皮下注射針は、シリンジキャップを放射性医薬注射器に固定するために、キャップ保持部に保持された状態のシリンジキャップに挿入される。【特許請求の範囲】
【請求項１】
注射針と、該注射針を保護するシリンジキャップとを有する放射性医薬注射器収納用の放射線遮蔽容器において、
放射線遮蔽材からなる第１収納部と、
注射器を内部に封入するために該第１収納部を着脱可能に固定し、放射線遮蔽材からなる第２収納部と、
注射針の使用後に該注射針をシリンジキャップの開口端部に挿入できる位置に開口端部を配置するシリンジキャップを保持するキャップ保持部と
を備える放射線遮蔽容器。
【請求項２】
前記キャップ保持部は、容器の外表面に配置される、請求項１に記載の放射線遮蔽容器。
【請求項３】
前記第１収納部は、容器の上方部を規定するとともに、前記第２収納部は、容器の下方部を規定し、キャップ保持部を前記上方部に配置する、請求項２に記載の放射線遮蔽容器。
【請求項４】
前記上方部に上端部を設け、キャップ保持部を該上端部に配置する、請求項３に記載の放射線遮蔽容器。
【請求項５】
前記キャップ保持部は、空洞部を備え、
前記空洞部は、前記シリンジキャップの閉塞端部を収納して前記シリンジキャップを保持し、前記シリンジキャップを容器の上端から外方に突出させ、前記注射針を挿入するために前記シリンジキャップの開口端部を露出させる、請求項４に記載の放射線遮蔽容器。
【請求項６】
前記キャップ保持部は、挿入部材でシリンジキャップを締め付けるように構成し、前記シリンジキャップを把持しなくても前記注射針から離脱するのを許容する、請求項５に記載の放射線遮蔽容器。
【請求項７】
前記キャップ保持部は、前記シリンジキャップを選択的に離脱するように構成し、キャップ付き注射器を内部に収納することを許容する、請求項６に記載の放射線遮蔽容器。
【請求項８】
前記キャップ保持部は、前記第１収納部と前記第２収納部のいずれかによって規定される空洞部を備え、
該空洞部は、前記シリンジキャップの閉塞端部を収納するとともに、前記注射針を挿入するために前記シリンジキャップの開口端部を露出させる、請求項１に記載の放射線遮蔽容器。
【請求項９】
前記キャップ保持部は、前記第１収納部と前記第２収納部のいずれかの内側に設けた開口端部を備え、前記第１収納部と前記第２収納部とが相互に連結されると、前記空洞部が封入される、請求項８に記載の放射線遮蔽容器。
【請求項１０】
前記放射線遮蔽材は、鉛、タングステン、劣化ウラン、タングステン含有プラスチックの少なくとも一つからなる、請求項１に記載の放射線遮蔽容器。
【請求項１１】
前記キャップ保持部が配置される上端部を有する、請求項１に記載の放射線遮蔽容器。
【請求項１２】
前記キャップ保持部は、前記シリンジキャップを締め付けるように構成し、前記シリンジキャップが前記注射針から離脱するのを許容する、請求項１に記載の放射線遮蔽容器。
【請求項１３】
前記キャップ保持部は、前記シリンジキャップを選択的に離脱するように構成し、キャップ付き注射器を内部に収納することを許容する、請求項１２に記載の放射線遮蔽容器。
【請求項１４】
前記キャップ保持部は、空洞部を備え、
該空洞部は、前記シリンジキャップの閉塞端部を収納するとともに、前記シリンジキャップを締め付けるように構成し、前記シリンジキャップを内部に押し込んで締付及び保持し、前記シリンジキャップを締付構造で離脱する、請求項１３に記載の放射線遮蔽容器。
【請求項１５】
放射性医薬注射器を内部に収納する、請求項１に記載の放射線遮蔽容器。
【請求項１６】
一回分の放射性医薬を充填して前記放射性医薬注射器を内部に収納した、請求項１５に記載の放射線遮蔽容器。
【請求項１７】
前記キャップ保持部は、第１キャップ保持部の他、第２キャップ保持部をさらに備え、
該第２キャップ保持部は、前記第１キャップ保持部で保持したものと異なるシリンジキャップを前記注射針に挿入するために前記シリンジキャップの開口端部を露出させる位置に保持する、請求項１に記載の放射線遮蔽容器。
【請求項１８】
前記キャップ保持部は、使用者による注射針のキャップが可能な位置に自立するように構成された自立構造部を備える前記第１収納部と前記第２収納部の少なくとも一つに支持される、請求項１に記載の放射線遮蔽容器。
【請求項１９】
使用者による注射針のキャップが可能な位置に前記自立構造部によって支持される前記第１収納部と前記第２収納部の少なくとも一つを傾けるのに必要な力は、前記シリンジキャップを前記放射性医薬注射器に固定するのに必要な力よりも大きい、請求項１８に記載の放射線遮蔽容器。
【請求項２０】
前記自立構造部によって支持される前記第１収納部と前記第２収納部の少なくとも一つの重量は、前記注射針の前記シリンジキャップを前記放射性医薬注射器に固定するのに必要な力よりも大きい、請求項１８に記載の放射線遮蔽容器。
【請求項２１】
前記キャップ保持部の縦軸が、容器の縦軸と略平行である、請求項１に記載の放射線遮蔽容器。
【請求項２２】
第１収納部と第２収納部とを備え、該第１収納部を該第２収納部に着脱可能に固定して前記第１収納部を前記第２収納部とで内部空間を封入する放射線遮蔽容器を用いて放射性医薬注射器の注射針をキャップする方法において、
キャップ保持部がシリンジキャップを保持するように、前記放射線遮蔽容器に設けたキャップ保持部にシリンジキャップを差し込む工程と、
放射性医薬注射器で放射性医薬を患者に投与して、放射性医薬注射器を使用済み状態にする工程と、
該使用済み放射性医薬注射器にシリンジキャップを取り付けるためにキャップ保持部でシリンジキャップを保持した状態で、皮下注射針をシリンジキャップに挿入する工程と
を含むキャップ方法
【請求項２３】
前記差し込み工程には、シリンジキャップの少なくとも一部をキャップ保持部の空洞部に挿入して、シリンジキャップを空洞部内で締め付ける工程が含まれる、請求項２２に記載のキャップ方法。
【請求項２４】
キャップした放射性医薬注射器を前記内部空間に収納する工程と、前記第１収納部と前記第２収納部に固定して前記内部空間に前記放射性医薬注射器を封入する工程とがさらに含まれる、請求項２２に記載のキャップ方法。
【請求項２５】
前記内部空間に前記放射性医薬注射器を封入する工程には、患者に放射性医薬を投与する前に放射性医薬を充填した放射性医薬注射器を収納する工程が含まれる、請求項２４に記載のキャップ方法。
【請求項２６】
前記使用済み放射性医薬注射器を前記シリンジキャップに挿入する工程には、キャップ保持部に保持された前記シリンジキャップに挿入する工程が含まれる、請求項２２に記載のキャップ方法。
【請求項２７】
放射性医薬注射器からシリンジキャップが取り外されている間、キャップ保持部で前記シリンジキャップを締め付ける工程がさらに含まれる、請求項２２に記載のキャップ方法。
【請求項２８】
使用前に、シリンジキャップと装着済みの注射針をキャップ保持部に挿入して保持させることで、装着済みの注射針を前記放射性医薬注射器から取り外す工程がさらに含まれる、請求項２２に記載のキャップ方法。
【請求項２９】
前記皮下注射針を挿入する工程には、放射線遮蔽容器を把持せずに使用済み放射性医薬注射器の皮下注射針を前記シリンジキャップに挿入する工程が含まれる、請求項２２に記載のキャップ方法。
【請求項３０】
放射線遮蔽容器の使用方法において、
該放射線遮蔽容器の外側に連結された差し込み部にシリンジキャップを挿入する工程と、
前記差し込み部にシリンジキャップが挿入されている状態で、注射針を前記シリンジキャップに挿入する工程と
を含む、放射線遮蔽容器の使用方法。
【請求項３１】
前記シリンジキャップに前記注射針を挿入するまでに、前記注射針が生物学的に汚染される工程をさらに含む、請求項３０に記載の放射線遮蔽容器の使用方法。
【請求項３２】
前記シリンジキャップに前記注射針を挿入するまでに、前記注射針を介して放射性医薬が排出されるとともに、前記注射針に前記放射性医薬が残存する工程を含む、請求項３０に記載の放射線遮蔽容器の使用方法。
【請求項３３】
前記放射線遮蔽容器を把持しなくても、前記注射針を挿入することができる工程を含む、請求項３０に記載の放射線遮蔽容器の使用方法。
【発明の詳細な説明】
【技術分野】
【０００１】
本発明は、針刺し損傷の可能性の低減、特に、放射性医薬注射器の注射針の再キャップ時に医療従事者が引き起こす針刺し損傷の危険性を低減する構成及び方法に関する。
【背景技術】
【０００２】
針刺し防止法及び労働安全衛生局（ＯＳＨＡ）の規定では、不注意による針刺し損傷の危険性を低減する対策を講じる組織の設置が求められている。針付きの注射器には、通常、針カバー及び針刺し損傷防止用のプラスチック製キャップが設けられている。注射器を使用する場合には、キャップを取り外して鋭利な注射針を露出させることになる。注射器使用後の注射針については、注射針による突き刺しで病原菌の血液感染を招くことがないように処理されなければならない。前記の血液感染を防止する手段の一つは、使用済みの注射針に再キャップをすることである。一方の手でキャップを把持しながら他方の手で注射針をキャップの内部に案内することは、キャップを把持した手が針刺し損傷の危険に偶発的にさらされることになる。このため、上記のような方法で注射針に再キャップをすることは、一般的にも好ましい方法とは言えない。
【発明の開示】
【発明が解決しようとする課題】
【０００３】
安全注射器及び使い捨て容器には、針刺し損傷の危険性を低減する構成が設けられていることが多い。使い捨て式の構成の一つとして、穿刺抵抗材製の単一容器で使用済みの注射器を複数保持するものがある。このような構成には、以下の問題点がある。使用するものが放射性医薬品である場合に、容器自体が放射線を遮蔽するものでなければ、放射性医薬品の放射能が残留した使用済み注射器を保持することができない。複数の使い捨て注射器の収納が可能な容器では、使い捨て注射器がすでに複数収納された状態で注射器を処分する場合には、突き刺しのおそれがないようにきめ細かな設計が必要とされる。穿刺抵抗の注射器容器には、前記構成と異なる構成のものがある。前記構成では、注射器ごとに部材（すなわち、容器）が増えて行き、注射器の使用後に医療従事者によって処理されることになる。容器が放射性医薬に使用される場合、容器は放射線遮蔽具の内側に設けられなければならない。放射線遮蔽具は、容器と注射器を収納する程度の大きさで構成される必要がある。
【課題を解決するための手段】
【０００４】
本発明の態様の一つは、放射性医薬注射器の再キャップ時の安全性を向上させるように構成された放射性医薬容器に関する。前記放射性医薬容器は、注射針とこれを保護するシリンジキャップを有する放射性医薬注射器を収納するように構成される。前記放射性医薬容器は、放射性医薬注射器の放射性医薬より生じる放射線を遮蔽するように構成される。前記放射性医薬容器の第１収納部は、第２収納部と着脱可能に連結され、注射器を内部に封入する。例えば、第１収納部をベース部とし、第２収納部を前記ベース部に着脱可能に連結（例えば、螺合、摩擦固定又はその他の手段で固定）される蓋部としてもよい。放射性医薬は、注射針の使用後にキャップの開口端部を放射性医薬注射針が挿入できる位置にシリンジキャップを選択的に保持（例えば、一時的に保持）するキャップ保持部を有する。例えば、シリンジキャップとキャップ保持部を、バイオネット嵌合と螺合の両方又はいずれか一方の手段で連結されるように構成し、キャップ保持部によるシリンジキャップの選択的な保持を容易にしてもよい。あるいは、シリンジキャップとキャップ保持部を、スナップ式で連結するように構成し、キャップ保持部によるシリンジキャップの選択的な保持を容易にしてもよい。これにより、シリンジキャップに注射針を挿入する際にシリンジキャップを把持しなくても、放射性医薬注射器の注射針を再キャップすることができる。
【０００５】
本発明の別の態様は、放射性医薬注射器容器の少なくとも一部を使用して、皮下注射針を有する放射性医薬注射器をキャップする方法に関する。前記放射性医薬容器の第１収納部は、第２収納部と着脱可能に連結され、前記第１収納部と第２収納部とで注射器を収納する空間を密閉する。シリンジキャップは、放射性医薬容器の一部に設けられたキャップ保持部と嵌合して、キャップ保持部に保持される。放射性医薬注射器は、患者に放射性医薬を投与するのに使用されることで、放射性医薬注射器を使用済み状態とする。放射性医薬注射器の皮下注射針は、シリンジキャップを放射性医薬注射器に固定するために、キャップ保持部に保持された状態のシリンジキャップに挿入される。本発明の態様の範囲にある工程に従えば、放射性医薬容器又はシリンジキャップのいずれかを把持しなくても、使用済み放射性医薬注射器の注射針をシリンジキャップに挿入することができる。これにより、針刺し損傷の危険性を低減することが可能である。
【０００６】
本発明の態様に関連させて上述した多くの特徴に対し、様々な修正が存在する。これらの特徴も、本発明の上記態様に含まれる。これらの修正および追加の特徴は、独立し、またはいずれかとの組み合わせにおいて存在する。例えば、１または２以上の図示した実施形態と関連して以下に説明する様々な特徴は、単独で、あるいはいずれかとの組み合わせにおいて、本発明の態様に組み込まれる。
【発明を実施するための最良の形態】
【０００７】
図面の中で同一である部分については、同一の参照符号を付している。
【０００８】
参照図面のうち、図１〜図３の放射性医薬容器は、参照符号１０１で示されている。この種の放射性医薬容器は、遮蔽具としては公知のものである。下記の記述の他に、放射性医薬容器１０１は、放射線遮蔽構造を有する。放射性医薬容器１０１は、上方収納部（第１収納部）１０３と下方収納部（第２収納部）１０５とを備える。上方収納部１０３と下方収納部１０５は、相互に離脱可能に連結されることで、中空部１０９内に放射性医薬注射器１０７を封入する（図２）。放射性医薬容器１０１については、本発明の範囲内であれば、部品点数と部品の配置の両方又はいずれか一方を変更してもよい。各図に示すように、上方収納部１０３は、略管状に構成され、上方閉塞端部１１３と下方開口端部１１５とを有する。下方収納部１０５は、略管状に構成され、下方閉塞端部１１７と上方開口端部１１９とを有する。上方収納部１０３と下方収納部１０５とが相互に連結されると、上方収納部１０３の下方開口端部１１５が、下方収納部１０５の上方開口端部１１９と同一直線上に位置し、上方収納部１０３と下方収納部１０５とが一体となって、放射性医薬注射器１０７を封入するための中空部１０９を規定する。図示の放射性医薬注射器１０７には、１回分の放射性医薬液が充填されている。放射性医薬容器１０１は、一般的に、（例えば、放射性医薬品の搬送時における）放射線を遮蔽して周囲の環境を保護するのに使用される。放射性医薬容器１０１の上方収納部１０３と下方収納部１０５は、一つ以上の遮蔽物質（例えば、鉛、タングステン、劣化ウラン、タングステン含有プラスチック等）を含有し、注射器１０７を封入すると、放射性医薬品から放出される放射線を遮蔽して周囲の環境を実質的に保護することができるものである。例えば、上方収納部１０３は、ポリマー被覆材１０３ｂで覆われた遮蔽部材１０３ａを備えていてもよい。同様に、下方収納部１０５は、ポリマー被覆材１０５ｂで覆われた遮蔽部材１０５ａを備えていてもよい。ポリマー被覆材１０３ｂ，１０５ｂで覆われた遮蔽部材１０３ａ，１０５ａは、共有の米国特許出願１０／５２７，３０１号（米国特許公開番号：２００５０２２４７３０）に詳述された通りのものであり、その内容は前記米国特許出願１０／５２７，３０１号を参照することで本明細書に組み入れられる。一方、他の構成の放射性医薬容器１０１としては、固体状の遮蔽材からなるもの、シェル状部材（例えば、ポリマーシェル）に遮蔽材を含有させたもの、遮蔽材の内側をライナー（例えば、プラスチックライナー）で裏打ちしたもの、遮蔽材を本体全体にほぼ均一に分散させたもの等が挙げられるが、これらも本発明の範囲内に含まれるものである。
【０００９】
図２の放射性医薬注射器１０７には、皮下注射針１２５が取り付けられている。図２に示す皮下注射針１２５は、シリンジキャップ１２７（例えば、少なくとも皮下注射針１２５の先端を覆うように構成された保護用被覆材）内に収納されている。シリンジキャップ１２７は、放射性医薬注射器１０７の注射器本体１２９に螺合されている。図示のシリンジキャップ１２７は透明なキャップとして構成されているが、本発明の範囲を逸脱するものでない限り、半透明なキャップ、不透明なキャップ、又は透明、半透明及び不透明が組み合わされたキャップとして構成されていてもよい。図１〜図３のシリンジキャップ１２７は、公知の構成のシリンジキャップである。放射性医薬容器１０１は、キャップ保持部１３１を備える。キャップ保持部１３１は、シリンジキャップ１２７の少なくとも一部を収納し、皮下注射針１２５の開口端部１３３への再挿入が可能な位置にシリンジキャップ１２７を全体的に少なくとも保持する。これにより、キャップ保持部１３１を後述の方法で使用することで、（例えば、皮下注射針１２５の使用後に）シリンジキャップ１２７による皮下注射針１２５の再キャップが容易となり、皮下注射針１２５のキャップの際にシリンジキャップ１２７を把持する必要がない。キャップ保持部１３１は、放射性医薬容器１０１の上方収納部１０３の外面部１３７の内部に規定された空洞部１３５として表されている。キャップ保持部１３１の大きさと形状は、例えば図３に示すように、シリンジキャップ１２７の閉塞端部１３９を収納するように構成される。シリンジキャップ１２７の閉塞端部１３９が空洞部１３５内に収納されると、キャップ保持部１３１がシリンジキャップ１２７を全体的に最低限保持し、シリンジキャップ１２７が放射性医薬容器１０１の上方閉塞端部から外方に突出して、放射性医薬注射器１０７の皮下注射針１２５を収納できるようにシリンジキャップ１２７の開口端部１３３を露出させる。図示の実施形態では、キャップ保持部１３１は、放射性医薬容器１０１の上方収納部１０３の上端１１３中央に形成されているが、本発明の範囲を逸脱するものでなければ、他の位置に形成されていてもよい。例えば、キャップ保持部１３１は放射性医薬容器１０１に一体的に形成される必要はなく、放射性医薬容器１０１に固定する着脱式の部材であってもよい。図示の空洞部１３５は円錐状に構成されているが、一端又は両端が開口した円筒状の空洞又は溝状の空洞（断面形状がＣ字状の溝）等のように、異なる形状に構成してもよい。
【００１０】
キャップ保持部１３１を、放射性医薬容器１０１の自立構造部（放射性医薬容器１０１の一部を支持面の固定位置に起立した状態に維持できるように構成したもの）で支持し、キャップ保持部１３１が、前記自立構造部によってシリンジキャップ１２７を収納する位置に配置されるようにしてもよい。前記構成は、再キャップ時において放射性医薬容器１０１を把持する必要のない好ましい手段となる。キャップ保持部１３１は、例えば図３に示すように、放射性医薬容器１０１の上方収納部１０３に支持されてもよい。放射性医薬容器１０１の上方収納部１０３は、テーブル等に設置した際にキャップ保持部１３１の開口端部を使用者が容易に利用できる位置（例えば、開口端部が上向きとなる位置）にキャップ保持部１３１を配置するように構成される。キャップ保持部１３１を支持する放射性医薬容器１０１の自立構造部は、放射性医薬容器１０１を把持しなくても皮下注射針１２５を容易に再キャップできるように構成される。図示の実施形態では、例えば、放射性医薬容器１０１の上方収納部１０３は、放射性医薬注射器１０７にシリンジキャップ１２７を取り付けるのに必要な力を上回る重さである。同様に、放射性医薬容器１０１の上方収納部１０３の全質量と（図３に図式的に示した）重心１３０を、放射性医薬容器１０１の傾ける力がシリンジキャップ１２７を放射性医薬注射器１０７に取り付ける力よりも大きくなるように構成する。さらに、放射性医薬容器１０１の上方収納部１０３は、取り付けに必要な力が支持面に対して垂直に加わるように、キャップ保持部１３１を特定の位置（傾斜した位置又は図３に示す垂直な位置）に配置する。例えば図２に示すように、放射性医薬容器１０１の自立構造部（例えば、上方収納部１０３）は、縦軸Ａ１を備えるとともに、キャップ保持部１３１は、放射性医薬品容器１０１の縦軸と略平行な（例えば、前記軸と一致した）縦軸Ａ２を備える。上記のような特徴により、上方収納部１０３は傾き難く、再キャップの際に力が加わっても支持面に沿って移動する。このため、上方収納部１０３を把持しなくても、再キャップすることが容易となる。図示の実施形態では、キャップ保持部１３１は放射性医薬品容器１０１の上方収納部１０３に設けられているけれども、本発明の範囲を逸脱するものでなければ、キャップ保持部１３１は他の自立構造式の容器部に設けられていてもよい。他の実施形態として、支持面（例えば、テーブル）に適合するように構成された放射性医薬容器１０１の上方収納部１０３は、再キャップ時の移動を防止するグリップ機能又は滑り止め機能を備える。例えば、上方収納部１０３の接触面に、凹凸を形成したり、グリップ材又は滑り止め材を用いたりする（例えば、グリップ材又は滑り止め材で被覆する）。
【００１１】
一回分の放射性医薬が充填された放射性医薬注射器１０７を収納するために、放射性医薬容器１０１を使用する。皮下注射針１２５の先端は、少なくともシリンジキャップ１２７に封入されている。一回分の放射性医薬が充填された放射性医薬注射器１０７は、公知のバイオネット係合を用いて上方収納部１０３と下方収納部１０５とを相互に固定することで、放射性医薬容器１０１の中空部１０９に収納される。放射性医薬容器１０１とこの内部に収納された医薬充填済みの放射性医薬注射器１０７は、医療施設に搬送される。放射性医薬容器１０１は、放射性医薬から放出される放射線が（例えば、輸送時に）外部に漏れるのを禁止する。
【００１２】
医療施設において、放射性医薬容器１０１を開封し、放射性医薬注射器１０７を前記容器から取り出す。下方開口端部１１５を下方に向けた状態にして放射性医薬容器１０１の上方収納部１０３を平坦面１４１（例えば、テーブルの上面）に置く。シリンジキャップ１２７を放射性医薬注射器１０７から取り外し、シリンジキャップ１２７の閉塞端部１３９を、放射性医薬容器１０１の上方収納部１０３の上方閉塞端部１１３に設けられたキャップ保持部１３１に嵌合させる（例えば、空洞部１３５に挿入する）。シリンジキャップ１２７が放射性医薬注射器１０７に取り付けられた状態で、シリンジキャップ１２７の閉塞端部１３９は、キャップ保持部１３１の空洞部１３５に挿入される。このため、キャップ保持部１３１は、シリンジキャップ１２７の離脱作業を補助するものとして使用される。このキャップ保持部１３１は、開口端部１３３を露出させる位置にシリンジキャップ１２７を保持し、シリンジキャップ１２７に皮下注射針１２５を収納できる状態にする。
【００１３】
放射性医薬注射器１０７は、放射性医薬を患者に投与するのに用いられるものであり、通常、皮下注射を行うと、いわゆる「使用済み」の状態となる。その結果、皮下注射針１２５は、血液感染性の病原菌に潜在的に汚染されることになり、関連法令及び産業上の安全基準に基づいて処理される必要がある。前記法令及び安全基準では、シリンジキャップ１２７を把持して皮下注射針１２５に再キャップをすることが禁止されている。その理由は、再キャップの作業中に針刺し事故を引き起こす危険性があるからである。しかしながら、本発明の実施形態においては、シリンジキャップ１２７を保持するのは、キャップ保持部１３１であり、人間の手ではない。このため、医療従事者は、シリンジキャップ１２７を一方の手で把持しながら他方の手ではシリンジキャップ１２７を把持せずに、使用済み放射性医薬注射器１０７の皮下注射針１２５の先端をシリンジキャップ１２７に挿入して、シリンジキャップ１２７を放射性医薬注射器１０７に取り付けることができる。皮下注射針１２５はシリンジキャップ１２７に向かって移動するだけであるので、他方の手が皮下注射針１２５の先端の軌道に位置することがない。さらに、再キャップの作業をする場合には、キャップ保持部１３１は、把持する必要のない放射性医薬容器１０１の自立構造部（例えば、自立する上方収納部１０３）に支持されるのが好ましい。これにより、一方の手のみを使って再キャップをすることが可能となる。
【００１４】
次に、再キャップされた使用済み放射性医薬注射器１０７は、放射性医薬容器１０１の中空部１０９に再封入され、（例えば、放射性医薬注射器１０７に残った放射性医薬品による）放射性廃棄物と（例えば、使用済み放射性医薬注射器１０７の皮下注射針１２５に残った血液による）生物学的な汚染のある廃棄物の両方を処理できるごみ処理施設に輸送される。放射性医薬容器１０１を使わずに皮下注射針１２５のキャップを取り外し、再キャップ時には放射性医薬容器１０１のキャップ保持部１３１を利用する。
【００１５】
参照符号２０１で示す放射性医薬容器の別の実施形態は、図４〜図６に表されている。放射性医薬容器２０１は、上方収納部２０３と下方収納部２０５とを備える。上方収納部２０３と下方収納部２０５は、相互に離脱可能に連結され、図１〜図３に示す放射性医薬容器１０１と同様の方法で一回分の放射性医薬が充填された放射性医薬注射器１０７を封入する。上方収納部２０３と下方収納部２０５は、前記放射性医薬容器１０１と同様に、遮蔽物質を含有する。例えば、図６の上方収納部２０３は、シェル材２０３ｂに覆われた遮蔽材２０３ａを備える。上方収納部２０３は、略管状に構成され、上方閉塞端部２１３と下方開口端部２１５とを備え、かかる点について言えば、図１〜図３に示す上方収納部１０３と多少類似するものである。上方収納部２０３は、断面形状が円形に構成された内側壁２１１を備える。しかしながら、１０３の上方収納部とは異なり、上方収納部２０３の外側壁２１２は、略三角柱状に構成されている。放射性医薬容器２０１の上方収納部２０３は、頂角部２２１が、これらの間に位置する中点部２２２よりも厚く構成されている。
【００１６】
放射性医薬容器２０１は、複数（少なくとも２つ）のキャップ保持部２３１を備える。キャップ保持部２３１は、形成位置を除けば、図１〜図３に示すキャップ保持部１３１と同様の構成である。例えば、図示の放射性医薬容器２０１は、上方収納部２０３の下方開口端部２１５の周りに放射状に配置された３つのキャップ保持部２３１を備える（図５）。図６に示すように、各キャップ保持部２３１は、上方収納部２０３に規定された空洞部２３５を備える。空洞部２３５を、上方収納部２０３の厚みを大きくした柱状の外側壁２１２の各頂角部２２１に設けることにより、放射線の遮蔽機能の低下に関する問題を緩和する。
【００１７】
空洞部２３５の大きさと形状は、シリンジキャップ１２７の閉塞端部１３９を収納するように構成される。図６には、空洞部２３５の開口端部２４５の一つが表されている。空洞部２３５の開口端部２４５は、上方収納部２０３が放射性医薬容器２０１の下方収納部２０５に取り付けられると、下方収納部２０５と対向する。さらに、本実施形態に係る図
の放射性医薬容器２０１の上方収納部２０３と下方収納部２０５が相互に連結されると、空洞部２３５の開口端部２４５が放射性医薬容器２０１内に封入される。別の態様として、空洞部２３５（例えば、円錐状と溝状の両方又はいずれか一方に構成された空洞部）は、柱状の外壁部２１２の１つ以上の頂角部２２１に設け、上方収納部２０３と下方収納部２０５が相互に連結された状態でも放射性医薬容器２０１の外部から該空洞部２３５の開口端部を利用できるように構成する。
【００１８】
放射性医薬容器２０１の上方収納部２０３は、自立可能な構造で構成される。上方収納部２０３は、１０１の前記放射性医薬容器の上方収納部１０３と実質的に同様の方法でキャップ保持部２３１を支持する（例えば、空洞部２３５の開口端部２４５を上向きにした状態にする）ように構成される。
【００１９】
放射性医薬容器２０１は、下記の点を除き、１０１の放射性医薬容器と同様の方法で使用される。放射性医薬容器２０１を開封すると、閉塞端部２１３を下方に向けて上方収納部２０３を平坦面１４１に置く。これにより、キャップ保持部２３１の空洞部２３５の開口端部２４５は上方に向き、キャップ保持部の開口端部を利用するのが容易となる。さらに、平坦面１４１と接触する上方収納部２０３の閉塞端部の外表面は、対向する開口端部２１５よりも小さい寸法で構成されたものとして表されている。しかしながら、平坦面１４１と接触する上方収納部２０３の閉塞端部の外表面は、対向する開口端部２１５よりも大きい又は実質的に同一の寸法で構成されてもよい。１０１の前記放射性医薬容器のキャップ保持部１３１と実質的に同様の方法でキャップ保持部２３１の一つを用い、使用済み放射性医薬注射器１０７の皮下注射針１２５をキャップする。仮に放射性物質又は生物学的な汚染物質がキャップの装着中又は離脱中に放射性医薬注射器１０７から漏れたとしても、前記物質は放射性医薬容器２０１の上方収納部２０３に流れ落ち、ごみ処理施設への輸送の際に上方収納部２０３と下方収納部２０５が連結されると、前記物質は放射性医薬容器２０１内に封入される。前記のような事態が生じても、前記物質を安全に収納した状態でごみ処理施設に輸送することができる。
【００２０】
キャップ作業とは別に、複数のキャップ保持部２３１は、放射性医薬注射器１０７の皮下注射針１２５を取り替えるのに使用される。例えば、患者への放射性医薬の注射に適した大きさよりも大きい皮下注射針１２５を、放射性医薬注射器１０７に取り付けていることがよくある。標準規格よりも大きな注射針の多くは、放射性医薬が充填された放射性医薬注射器への取付が容易となる内径を有するが、患者の中には、標準規格よりも小さい注射針で注射するのが好ましい人もいる。このため、注射針１２５は、取替可能なように構成される（例えば、標準規格よりも大きな注射針）。シリンジキャップ１２７は、放射性医薬容器２０１による封入前（例えば、医療施設への輸送のため）に、標準規格よりも大きい皮下注射針１２５を覆う。
【００２１】
放射性医薬容器２０１を、（例えば、医療施設において）開封し、放射性医薬注射器１０７を取り出す。図５ａを参照すると、皮下注射針１２５を封入するシリンジキャップ１２７を、キャップ保持部２３１に嵌合させる。次に、シリンジキャップ１２７とこのキャップに封入された皮下注射針１２５を、放射性医薬注射器１０７から取り外す。例えば、シリンジキャップ１２７と皮下注射針１２５を放射性医薬注射器１０７に対してねじると、（例えば、後述のグリップ機能が用いられることにより）シリンジキャップ１２７が放射性医薬注射器１０７から離間し、皮下注射針１２５とシリンジキャップ１２７を放射性医薬注射器１０７から取り外すことができる。放射性医薬容器２０１のキャップ保持部２３１は、皮下注射針１２５（その他の注射針）の取り外しを容易にし、かつ、シリンジキャップ１２７と連結するように構成される。例えば、（皮下注射針１２５が内部に収納された）シリンジキャップ１２７は、放射性医薬容器２０１のキャップ保持部２３１と嵌合する。放射性医薬注射器１０７をねじるか、あるいは、（シリンジキャップ１２７とキャップ保持部２３１の間、シリンジキャップ１２７と皮下注射針１２５の間、及び皮下注射針１２５と放射性医薬注射器１０７の間の嵌合方法に応じた）離脱動作を放射性医薬注射器１０７に加えることで、シリンジキャップ１２７と皮下注射針１２５を放射性医薬注射器１０７から取り外す。
【００２２】
放射性医薬注射器１０７には、標準規格より小さい皮下注射針２２５が、取り付けられてもよい。図５に示すように、例えば、注射針２２５を封入する第２シリンジキャップ２２７は、別のキャップ保持部２３１と嵌合する。前記キャップ保持部２３１は、注射針２２５と第２シリンジキャップ２２７のいずれか一方又は両方が放射性医薬注射器１０７に固定されている間、前記注射針２２５と前記シリンジキャップ２２７を保持する。注射針２２５は、本発明を逸脱しない範囲で、第２シリンジキャップ２２７と一体的に又は別個独立して放射性医薬注射器に取り付けられる。注射針２２５は、患者に放射性医薬を注入するのに使用され、これにより放射性医薬注射器１０７は使用済みとなる。シリンジキャップ２２７は、キャップ保持部２３１と嵌合する（例えば、キャップ保持部に差し込まれる）。これにより、シリンジキャップ２２７を把持しなくても、使用済み放射性医薬注射器１０７の注射針２２５をシリンジキャップ２２７に挿入してキャップすることができる。さらに、各キャップ保持部２３１は、注射針２２５のキャップの際に放射性医薬容器２０１を把持しなくても、放射性医薬容器２０１の自立構造部（すなわち、自立可能な上方収納部２０３）によって支持される。放射性医薬注射器１０７から離脱した皮下注射針１２５とシリンジキャップ１２７は、キャップ保持部２３１から取り外され、放射物廃棄容器に収納される。当業者であれば、同一構成の放射性医薬容器に複数のキャップ保持部を設け、装着針とそのシリンジキャップをキャップ保持部の一つで保持するとともに、別のキャップ保持部を注入針用のシリンジキャップの連結に用いる点において有効であることを理解することができる。さらに、キャップ保持部の１つが損傷しても（例えば、キャップ保持部に設けられた後述のグリップ構造が損傷した場合）、他のキャップ保持部を使用すればよく、放射性医薬容器について交換又は修繕の必要がない。
【００２３】
本発明の放射性医薬容器の中には、キャップ保持部が、シリンジキャップを自ら締め付けないものがある。シリンジキャップは、使用済み注射器の注射針のキャップの際に、受動的な受け入れ口（例えば、シリンジキャップと軽く又は少なくともきつくない程度に接触する受け入れ口）であるキャップ保持部内に重力によって保持される。しかしながら、場合によっては、キャップ保持部はシリンジキャップを自ら締め付けるのが望ましいこともある。当業者であれば、シリンジキャップを自ら締め付けるようにキャップ保持部の構成に複数の変更及び追加を加えることを利化するすることができる。これらの構成について説明する。
【００２４】
キャップ保持部は、所望の深さで構成される。例えば、キャップ保持部２３１の少なくとも一部は、内部に保持するシリンジキャップの個数（例えば、１２７，２２７）に関係なく、（例えば、注射器を収納するために）放射性収納容器の上方収納部２０３と下方収納部２０５とを相互に連結することができるような深さで構成されなければならない。キャップ保持部２３１の一部は、シリンジキャップ１２７のほぼ全体を収納するように構成される。すなわち、シリンジキャップ１２７は、ほぼ全体がキャップ保持部２３１の内部に固定される。前記以外のキャップ保持部は、放射性医薬容器２０１の上方収納部２０３と下方収納部２０５とが相互に連結されて封入状態となっている間、シリンジキャップ１２７の一部のみを封入する。
【００２５】
キャップ保持部でシリンジキャップを締め付けるための手段の一つとして、以下のようなものがある。シリンジキャップの閉塞端部がキャップ保持部と嵌合すると摩擦固定するように、空洞部に一つ以上の弾性突起（例えば、指状部とフィンの両方又はいずれか一方）を設ける。図７ａ及び図７ｂを参照すると、例えば、放射性医薬容器の上方収納部３０３は、３つの弾性フィン３４９を有するキャップ保持部３３１を備える。３つの弾性フィン３４９は、空洞部３３５の内周に放射状に配置される。図示のフィン３４９は、上方収納部３０３と一体的に形成される。また、フィン３４９は、放射性医薬容器から着脱可能に形成された挿入部材の一部を構成し、キャップ保持部の空洞部に挿入されてもよい。前記挿入部材は、適切に選択した固定手段（例えば、接着又は締結と、空洞部の側壁に対する挿入部材の圧入のいずれか一つ又は両方）を用いて空洞部に取り付けられる。シリンジキャップ１２７の閉塞端部１３９（図７ａ及び図７ｂにおいて不図示）は、キャップ保持部３３１に嵌合すると、弾性フィン３４９が弾性変形してシリンジキャップのキャップ保持部３３１への通過を許容する。前記フィン３４９は弾性材である。シリンジキャップ１２７は開口端部から幅が広がるテーパー状に構成される。これにより、フィン３４９はシリンジキャップ１２７を押圧するともに、空洞部３３５内に挿通されるほど、シリンジキャップ１２７とキャップ保持部３３１との間の摩擦抵抗が増大する。
【００２６】
放射性医薬容器３０１には、図７ａ及び図７ｂに示すキャップ保持部３３１がもう一つ設けられてもよい。放射性医薬注射器１０７の使用前に、シリンジキャップ１２７をキャップ保持部３３１と嵌合させ、キャップ保持部３３１はシリンジキャップ１２７を締め付ける。次に、使用者が未使用の注射針１２５に放射性医薬注射器１０７のシリンジキャップ１２７をしていない間、キャップ保持部３３１がシリンジキャップ１２７を締め付ける。放射性医薬の注射が完了すると、使用済み放射性医薬容器１０７の注射針１２５は、キャップ保持部３３１に保持された状態のシリンジキャップ１２７の開口端部に挿入されることで再キャップされる。放射性医薬注射器１０７がいったん再キャップされると、シリンジキャップ１２７をキャップ保持部３３１から離脱させる。例えば、シリンジキャップ１２７を把持してキャップ保持部３３１から引き抜けばよい。あるいは、シリンジキャップ１２７を放射性医薬注射器１０７に取り付ける場合には、放射性医薬注射器１０７を引っ張ってシリンジキャップ１２７をキャップ保持部３３１から引き抜けばよい。
【００２７】
図８ａ〜図８ｃには、キャップ保持部４３１の有する放射性医薬容器の上方収納部４０３が示されている。キャップ保持部４３１は、テーパー状に構成され、摩擦固定によってシリンジキャップ１２７を締め付ける。キャップ保持部４３１の直径は、開口端部１３３より閉塞端部１３９が小さくなるテーパー状に構成される。図８ａ〜図８ｃに示す空洞部４３５の側壁４５１は、シリンジキャップ１２７のようにテーパー状に構成されていない。限定された範囲でしかシリンジキャップ１２７を空洞部４３５に挿入することができず、前記の範囲を超えて挿入しようとすると、テーパー状のシリンジキャップ１２７と放射性医薬容器の空洞部４３５の開口端部４５３とが接触することによって挿入が禁止される。シリンジキャップ１２７は、注射針キャップに適した材料（例えば、プラスチックのような弾性材）で製造される。シリンジキャップが空洞部に押圧されると、空洞部の側壁とシリンジキャップの側壁とが接触することで、シリンジキャップがキャップ保持部に摩擦固定される。
【００２８】
図８ａ〜図８ｃのキャップ保持部４３１は、図７ａ〜図７ｂのキャップ保持部４３１と実質的に同一の方法で使用される。ただし、使用者がシリンジキャップ１２７の閉塞端部１３９を空洞部４３５に十分に挿入することで、放射性医薬容器とシリンジキャップ１２７とが相互作用して摩擦固定する点については異なる。
【００２９】
キャップ保持部にばね付勢による選択自在な離間構造を設けてもよい。例えば、図９は、ばね付勢の離間構造部５６１を設けたキャップ保持部５３１を有する放射性医薬用容器の上方収納部５０３の一部を表したものである。離間構造部５６１は公知のボールペンの作動構造部と類似している。
【００３０】
ばね５６３は、空洞部５３５に配置され、前記空洞部５３５に挿入されたシリンジキャップ５２７によって押圧される。ばね５６３は、空洞部５３５の外方へシリンジキャップ５２７を付勢するように機能する。肩部５６５は、複数の鋸歯状突起５６７を有し、空洞部５３５の内壁５５１に設けられ、円周方向に延在する。鋸歯状突起５６７は、垂直面５７１と傾斜面５７３とを有する。空洞部５３５の内壁５５１から内方に向かって複数の係合タブ５７５が突出する。係合タブ５７５は、肩部５６５から上方に一定の間隔をあけて形成される。係合タブ５７５は、相互に円周方向に一定の間隔をあけて形成され、複数の溝５７７を規定する。係合タブ５７５は、水平上方部５７９と、平行な垂直側壁部５８１と、２つの下方傾斜面５８２とを有するのが好ましい。下方傾斜面５８２は、２つの下方角部５８５の間に延在してＶ字状切込部５８３を規定する。
【００３１】
キャップ保持部５３１は、図９のシリンジキャップ５２７と協働して機能するように構成される。前記シリンジキャップ５２７は、シリンジキャップの側壁部から外方に突出する突起部５８９を有する点を除き、前記シリンジキャップ１２７と実質的に同一に構成するのが好ましく、また、キャップ保持部５３１には、突起部５８９が少なくとも一つ必要とされるが、複数の突起部５８９を設けるのが好ましい。図９に示すように、例えば、突起部５８９を４つ設け（視認可能なものは３つである）、これらの突起部５８９を、キャップ保持部５３１の溝５７７と対応する角度（又は２倍の角度）で円周方向に配置する。突起部５８９は、相互に平行な長辺状垂直側壁部５９１及び短辺状垂直側壁部５９１と、上方傾斜面５９３と、下方傾斜面５９５とを有するのが好ましい。突起部５８９の上方傾斜面５９３は、下方傾斜面５９５の傾斜と反対方向に傾斜している。例えば、図９の突起部５８９では、左から右へ上向きに傾斜した上方傾斜面５９３、左から右へ下向きに傾斜した下方傾斜面５９５が設けられている。
【００３２】
図１０ａを参照すると、使用者がキャップ保持部にシリンジキャップ５２７を挿入すると、突起部５８９が係合タブ５７５の間の溝５７７を通過する。シリンジキャップ５２７を空洞部５３５に挿入することで、ばね５６３が押圧され、シリンジキャップを空洞部の外側に押し出そうとする。使用者が、シリンジキャップ５２７を空洞部５３５の奥側に挿入すると、突起部５８９が、溝５７７と同一直線上にある鋸歯状突起部５６７の傾斜面５７３と嵌合する。シリンジキャップ５２７を押し込むと、鋸歯状突起５６７が、突起部５８９が垂直面５７１に当接するまで回転するようにシリンジキャップ５２７に回転力を与える。図１０ａには、挿入時におけるシリンジキャップ５２７の軌道が示されている。肩部５６５は、空洞部５３５へのシリンジキャップ５２７の過挿入を禁止する。
【００３３】
使用者がシリンジキャップ５２７から手を離すと（図１０ｂ）、ばね５６３によって、シリンジキャップ５２７が逆方向である空洞部５３５の外側方向に軸移動し、溝部５７７と同一直線上に位置しなくなった突起部５８９が、係合タブ５７５の下方傾斜面５８２に係合する。下方傾斜面５８２は、突起部５８９がＶ字状切込部５８３に差し込まれるまで、シリンジキャップ５２７に回転を加える。シリンジキャップ５２７を離した後の軌道が図１０ｂの矢印で示されている。シリンジキャップ５２７の移動によって、下方傾斜面５９５は移動前に係合した肩部５６５の傾斜面５７３からずれ、（図示のように）その隣の傾斜面がある右側方向に移動する。係合タブ５７５は、キャップ保持部５３１内でシリンジキャップ５２７を保持する。これにより、使用者は、シリンジキャップに対する係合タブ５７５の保持力を利用して、放射性医薬注射器１０７と注射器１２５をシリンジキャップ５２７から離脱させることができる。
【００３４】
使用者が、（例えば、患者に放射性医薬を注射するのに注射針１２５を使用した後に）注射針１２５を再キャップしようとする場合、キャップ保持部に保持された状態のシリンジキャップ５２７に注射針１２５を挿入し直す（図１０ｃ）。シリンジキャップ５２７に挿入した状態で放射性医薬注射器１０７を押し込むと、ばね５６３の付勢に抗してシリンジキャップ５２７が空洞部５３５内に差し込み直され、突起部５８９が、係合タブ５７５のＶ字状切込部とほぼ同一直線上に位置する鋸歯状突起部５６７の傾斜面に係合する。鋸歯状突起部５６７の傾斜面５７３は、シリンジキャップ５２７に回転力を加え、突起部５８９が鋸歯状突起部５６７の垂直面と当接する。肩部５６５は、空洞部内におけるシリンジキャップの不必要な移動を制限し、使用者が十分な押圧を加えて放射性医薬注射器にシリンジキャップを装着することを許容する。放射性医薬注射器を再挿入したシリンジキャップ５２７の軌道は、図１０ｃの矢印で示されている。
【００３５】
使用者が放射性医薬注射器１０７から手を離すと、ばね５６３によって、シリンジキャップ５２７が逆方向である空洞部５３５の外側方向に軸移動する。突起部５８９の上方傾斜面５９３は、係合タブ５７５の突起部５８３と同一直線上ではない位置に回転し、係合タブの下方角部５８５に当接する。係合タブ５７５の下方角部５８５は、突起部５８９が溝部５７７と同一直線上に位置するまでシリンジキャップ５２７に回転を加える。突起部５８９が溝５７７内に一度位置すると、ばね５６３が空洞部５３５の外側に向かってシリンジキャップ５２７を押し出し、シリンジキャップ５２７がキャップ保持部より離脱する。
【００３６】
本発明の範囲を逸脱するものでなければ、上述した実施形態に変更を加えてもよいことを当業者は理解できる。キャップ保持部は、放射性医薬容器の上方収納部と下方収納部のいずれに設けられてもよい。放射性医薬容器の形状と大きさについては、実質的に限定されることはない。本発明の放射性医薬容器は、シリンジキャップを収納するように、必要に応じて変更が加えられてもよい。シリンジキャップは、医療施設に放射性医薬容器が到達した時に未使用の放射性医薬注射器に取り付けられていてもよいし、医療施設で使用が完了した放射性医薬注射器に取り付けるために提供されてもよい。さらに、上述した実施形態の特徴を様々に組み合わせて、好ましい構成に変更してもよい、
【００３７】
本発明の部材又は好ましい実施形態を紹介する場合、本明細書の内容を英語で記載した原文で示されている「ａ」、「ａｎ」、「ｔｈｅ」及び「ｓａｉｄ」という単語は、一つ以上の部材を意味する。また、前記原文で示されている「ｃｏｍｒｉｓｉｎｇ」、「ｉｎｃｌｕｄｉｎ」及び「ｈａｖｉｎｇ」という単語は、含めるということを意図しており、記載された部材の他に別の部材を追加してもよいという意味である。さらに、前記原文で示されている「ｔｏｐ」及び「ｂｏｔｔｏｍ」及びこれらと類似の単語は、説明をする上で便宜的に定義されたものであり、部材について特定の位置関係を定義するものではない。
【００３８】
本発明の範囲を逸脱するものでなければ上記製品及び方法について種々の変更を加えることができるので、上記の記載事項及び添付の図面に表された事項は、例示されたものと解釈すべきであり、限定的な意味として解釈すべきでない。
【図面の簡単な説明】
【００３９】
【図１】本発明の放射性医薬容器の斜視図である。
【図２】図１の放射性医薬容器の断面図である。
【図３】図１の放射性医薬注射器の斜視図であり、使用済み放射性医薬注射器の注射針にキャップをするのに使用されている状態を示している。
【図４】本発明の別の構成を示す放射性医薬容器の斜視図である。
【図５】キャップ保持部を有する図４の放射性医薬容器の上方収納部の斜視図である。
【図５ａ】上方収納部の平面図である。
【図６】図５ａに示した上方収納部の６−６線断面図である。
【図７ａ】シリンジキャップを少なくとも一時的に締め付けるキャップ保持部を有する放射性医薬容器の概略図である。
【図７ｂ】図７ａに示した７ｂ−７ｂ線部分断面図である。
【図８ａ】シリンジキャップを少なくとも一時的に締め付けるキャップ保持部を有する別の構成の放射性医薬容器の概略図である。
【図８ｂ】図８ａに示した８ｂ−８ｂ線断面図である。
【図８ｃ】図８ｂの一部拡大図である。
【図９】シリンジキャップを少なくとも一時的に締め付けるキャップ保持部を有する別の構成の放射性医薬容器の一部断面図である。
【図１０ａ】図９のキャップ保持部の作動状態を示す図である。
【図１０ｂ】図９のキャップ保持部の作動状態を示す図である。
【図１０ｃ】図９のキャップ保持部の作動状態を示す図である。
【図１０ｄ】図９のキャップ保持部の作動状態を示す図である。
【図１】
2008540042.tif 000002
【図２】
2008540042.tif 000003
【図３】
2008540042.tif 000004
【図４】
2008540042.tif 000005
【図５】
2008540042.tif 000006
【図５ａ】
2008540042.tif 000007
【図６】
2008540042.tif 000008
【図７ａ】
2008540042.tif 000009
【図７ｂ】
2008540042.tif 000010
【図８ａ】
2008540042.tif 000011
【図８ｂ】
2008540042.tif 000012
【図８ｃ】
2008540042.tif 000013
【図９】
2008540042.tif 000014
【図１０ａ】
2008540042.tif 000015
【図１０ｂ】
2008540042.tif 000016
【図１０ｃ】
2008540042.tif 000017
【図１０ｄ】
2008540042.tif 000018
【国際調査報告】
2008540042.tif 000019
2008540042.tif 000020
2008540042.tif 000021